(57)【要約】【課題】  エクステ毛装着後のヘアスタイルに違和感が無いような接合方法を達成するヘアエクステンションユニットの提供と、自然感を保つためにできるだけ細かい間隔でエクステ毛を短時間で装着できる方法を実現するヘアエクステンションユニットの提供をすること。【解決手段】  本発明に係るヘアエクステンションユニットは、長尺の水溶性台紙に一定幅のエクステ毛抑え台紙、略同幅のエクステ毛、略同幅の接着剤の３種の素材からなる積層体を等間隔をあけて配置し、上記エクステ毛抑え台紙と略同寸法の接着剤カバー台紙より構成する。【選択図】図１
2019035176.tif 000002
【特許請求の範囲】
【請求項１】
長尺の水溶性台紙と、
前記水溶性台紙上の前記長尺方向に略等間隔をあけて接合配置される一定幅のエクステ毛抑え台紙と、
前記エクステ毛抑え台紙上に接合配置され前記一定幅と略同幅に束ねられもしくはまとめられたエクステ毛と、
前記エクステ毛を挟むようにして前記透明シート上に接合配置され前記一定幅と略同幅の接着剤層と、
前記接着剤層の表面に積層接着される、前記水溶性台紙と略同寸法の接着剤カバー台紙と
を具備することを特徴とするヘアエクステンションユニット。
【請求項２】
前記ヘアエクステンションユニットは略中央位置を中心に折り重ね可能であり、
前記略中央位置を中心に略対称位置に前記エクステ毛抑え台紙が配置されることを特徴とする請求項１記載のヘアエクステンションユニット。
【請求項３】
前記エクステ毛抑え台紙は透明フィルムであることを特徴とする請求項１もしくは２記載のヘアエクステンションユニット。
【請求項４】
前記水溶性台紙の前記エクステ毛抑え台紙が配置される面とは反対面における前記エクステ毛抑え台紙の前記間隔のそれぞれの中心位置に、中心線が描かれることを特徴とする請求項１〜３のうちいずれか１項記載のヘアエクステンションユニット。
【発明の詳細な説明】
【技術分野】
【０００１】
本発明は、例えばヘアエクステンションユニットに係り、特に、装着が極めて簡単で、短時間で細かく自然な仕上がりとなるヘアエクステンションユニットに関する。
【背景技術】
【０００２】
ヘアエクステンション（以下「エクステ」と省略する。）の中で最も多くのヘアサロンで採用されているスタンダードなエクステ方法は、編み込みエクステと言われている。これは、地毛の根元に増毛（以下「エクステ毛」と省略する。）を編み込んでいく方法で、接着部は糸ゴム等で縛って固定することから、自然に仕上げるためには間隔を細かく装着しなければならないため、非常に時間がかかってしまう。さらに、編み込んでいる部分が太くこぶ状となるため、装着部に違和感を感じてしまうという欠点がある。
【０００３】
装着部分の違和感を少なくするため、特許文献１では、頭髪に加熱融着可能な樹脂製の融着部と、融着部に付したエクステ毛を折り返し可能な平板状にしたユニットとし、該平板によって地毛を挟み込みグルーガンによって加熱融着するエクステ技術に係る思想が開示されている。
【０００４】
上記技術によれば、装着部はスムースな仕上がりとなり違和感はほとんどないが、装着後に地毛とスムースに一体化させボリューム感を出すためには細かく間隔をあけて装着する必要がある。個々の装着は比較的容易であるが、上記のように細かく一定の間隔を空けて多数のエクステ毛を装着するためには非常に時間がかかってしまうという問題の解決には至っていない。
【０００５】
また、装着を容易にした別の技術として特許文献２がある。特許文献２に開示されるエクステ方法は、一端側を揃えて束ねたエクステ毛を、管状の樹脂部材に接合し、上記管状部材に地毛を通し、グルーガンによって環状樹脂部材を加熱融着するとする技術思想である。
【０００６】
上記特許文献１と同じく、エクステ毛と地毛との接合部はほとんど目立たないが、細かく間隔をあけて装着するための時間短縮技術については記載されていない。
【先行技術文献】
【特許文献】
【０００７】
【特許文献１】特開２００９−３０２０１号公報
【特許文献２】特開２００７−１２６８０５号公報
【発明の概要】
【発明が解決しようとする課題】
【０００８】
本発明は上記の従来技術上の諸問題を解決しようとするものであり、エクステ毛装着後のヘアスタイルに違和感が無いような接合方法を達成するヘアエクステンションユニットの提供と、自然感を保つためにできるだけ細かい間隔でエクステ毛を短時間で装着できる方法を実現するヘアエクステンションユニットの提供を課題とする。
【課題を解決するための手段】
【０００９】
上記のような各課題を解決するために、本発明に係るヘアエクステンションユニットは、長尺の水溶性台紙と、上記水溶性台紙上の上記長尺方向に略等間隔をあけて接合配置される一定幅のエクステ毛抑え台紙と、上記エクステ毛抑え台紙上に接合配置され上記一定幅と略同幅に束ねられもしくはまとめられたエクステ毛と、上記エクステ毛を挟むようにして上記透明シート上に接合配置され上記一定幅と略同幅の接着剤層と、上記接着剤層の表面に積層接着される、上記水溶性台紙と略同寸法の接着剤カバー台紙とを具備することを特徴とするヘアエクステンションユニットとする。すなわち、長尺の水溶性台紙に一定幅のエクステ毛抑え台紙、略同幅のエクステ毛、略同幅の接着剤の３種の素材からなる積層体を等間隔をあけて配置し、上記エクステ毛抑え台紙と略同寸法の接着剤カバー台紙より構成したヘアエクステンションユニットとする。
【００１０】
上記態様においては、上記ヘアエクステンションユニットを中央で折り重ねたとき、エクステ毛抑え台紙、エクステ毛、接着剤からなる積層体がちょうど重なるように配置するとしてもよい。
【００１１】
上記態様においては、上記エクステ毛抑え台紙を透明フィルムとするとしてもよい。
【００１２】
上記態様においては、上記水溶性台紙に等間隔配置の中心に中心線を描くとしてもよい。
【発明の効果】
【００１３】
上記構成を有する本発明によれば、髪を大きく束ねて接着し、接着後に軽くシャンプー（洗髪）することにより、一度に一定間隔を空けて多数の細かいエクステ接続ができ、大幅な省力化を実現することができる。
【００１４】
また、本発明のヘアエクステンションユニットをロール状にしておき、必要な長さに切断して使用すれば、利用者の様々な要求に対応することができる。
【００１５】
さらに、積層体の幅や間隔を変えることにより、エクステのボリュームを容易に変えられるという効果が期待できる。
【図面の簡単な説明】
【００１６】
【図１】本発明の一実施形態に係るヘアエクステンションユニットの概略図である。
【図２】本発明の一実施形態に係るヘアエクステンションユニットの装着準備の概略図である。
【図３】本発明の一実施形態に係るヘアエクステンションユニットの接着前部分概略図である。
【図４】本発明の一実施形態に係るヘアエクステンションユニットの接着概略図である。
【図５】本発明の一実施形態に係るヘアエクステンションユニットの接着状態概略図である。
【図６】本発明の一実施形態に係るヘアエクステンションユニットの装着完了概略図である。
【発明を実施するための形態】
【００１７】
以下、図面を参照して本発明の実施形態について説明する。なお、以下では本発明の目的を達成するための説明に必要な範囲を模式的に示し、本発明の該当部分の説明に必要な範囲を主に説明することとし、説明を省略する箇所については公知技術によるものとする。
【００１８】
図１は、本発明の一実施形態に係るヘアエクステンションユニットの概略図であり、（ａ）は上面図、（ｂ）は正面図をそれぞれ表すものである。
【００１９】
本発明の一実施形態に係るヘアエクステンションユニットの構成は、ポリビニルアルコールやでんぷん等を原料とする水溶性の長尺台紙１上に、一定間隔９を空けて、一定幅８の透明シート（透明シートを半／不透明シートで代替してもよく、これらを総称して「エクステ毛抑え台紙」と呼ぶ。）２と、略同幅８にまとめたエクステ毛３と、略同幅の接着剤体４とを積層接着した積層体６が配置されている。なお、図１では積層構造を説明するため積層材の厚さを誇張して図示しているが、実際の場合は非常に薄いものである。
【００２０】
上記のような水溶性長尺台紙１上に一定間隔を空けて積層体６が配置されているが、接着剤体４の露出面をカバーするため長尺の保護紙５で被膜しておき、使用時に剥がして使用する。保護紙５については既存技術のため説明は省略する。
【００２１】
図２は、本発明の一実施形態に係るヘアエクステンションユニットを実際に地毛に取り付ける要領を示した概略図である。図１に示したヘアエクステンションユニットを、エクステしようとする部分の約２倍で、偶数個の積層体６が含まれる長さで切断し、中心部の積層体６同士の間隔９の中心線７の部分で折り曲げる。その状態で非装着者の髪を上にまとめてまとめ髪３１をつくり、装着しようとする髪（以下「地毛」と省略する。）を接合部３２で図２のごとく挟み込む。
【００２２】
図３は、本発明のヘアエクステンションユニットの接着部分を示した概略図で、地毛１５を挟み込んだ上で、図４のごとくしっかりと地毛１５を接着剤体４で挟み込んで接着する。図４から分かるように地毛１５の両側からエクステ毛が接続され積層体６の幅８と間隔９とを調整することによりエクステ後のスタイルやボリューム感を調整することができる。
【００２３】
図４に示した本発明のヘアエクステンションユニットを接着した状態の概略図を図５に示す。この状態でシャンプー（洗髪）をすると水溶性の台紙１が洗い流され、積層体６は連結を解かれて、図６のごとく一回の接着で狭い間隔で細かくエクステ毛を接続することができ、作業時間の大幅な短縮を達成することができる。図６中のエクステ毛連結部分は、上述の透明シート２で両側から地毛１５を挟んで接着しているため目立つことはない。
【００２４】
なお、図５では説明のために地毛を上に纏めたままの状態を図示しているが、実際には図５の状態で上に纏めた地毛を下ろしてエクステ接着部分６１を覆えば、全く違和感なく細かい間隔で理想的なヘアエクステンションを行うことができる。
【産業上の利用可能性】
【００２５】
本願発明によれば、一回の装着で、簡単に自然な増毛を低価格で実現できるため、おしゃれ以外にも高齢者の増毛にも拡張利用することができる。
【００２６】
上記の積層体毎にエクステ毛の色を変えたり、有名美容師のカラーコーディネーションによってエクステ毛の色や長さパターンを変えたりと、ヘアーデザイン界に新風を吹き込む可能性がある。
【００２７】
更に、コスプレや、イベント時のエンターテインメントへの応用にも期待ができる。したがって、理容業、美容業、ファッション産業、エンターテインメント産業等、各種産業にて利用可能性がある。
【符号の説明】
【００２８】
１・・・水溶性台紙、２・・・透明シート、３・・・エクステ毛、４・・・接着剤体、５…保護紙、６・・・積層体、７・・・中心線、８・・・積層体幅、９・・・間隔、３１・・・まとめ髪、６１…エクステ接着部分
【図１】
2019035176.tif 000003
【図２】
2019035176.tif 000004
【図３】
2019035176.tif 000005
【図４】
2019035176.tif 000006
【図５】
2019035176.tif 000007
【図６】
2019035176.tif 000008